(57)【要約】【課題】  紙幣を収納して、持ち運び可能に構成され、かつ、ユーザーが、リアルタイムに、内部に収納されている紙幣の金種や金種別枚数を容易に把握することができる紙幣収納ケースを提供する。【解決手段】  紙幣を収納し、持ち運び可能に構成された紙幣収納ケース１であって、紙幣に書き込まれたＲＦＩＤデータを読み取るＲＦＩＤリーダー８と、ＲＦＩＤリーダーが読み取ったＲＦＩＤデータに基づいて、紙幣に関するデータを算出するコントローラ２０と、ＲＦＩＤリーダーによって読み取られた紙幣のＲＦＩＤデータおよびコントローラによって算出された紙幣に関するデータを記憶するフラッシュメモリ２３と、フラッシュメモリに記憶された紙幣に関するデータを表示する第一のディスプレイ１１を備え、第一のディスプレイが、紙幣収納ケースの外側に設けられていることを特徴とする紙幣収納ケース。【選択図】      図１
2007141060.tif 000002
【特許請求の範囲】
【請求項１】
紙幣を収納し、持ち運び可能に構成された紙幣収納ケースであって、紙幣に書き込まれたＲＦＩＤデータを読み取るＲＦＩＤリーダーと、前記ＲＦＩＤリーダーが読み取ったＲＦＩＤデータに基づいて、紙幣に関するデータを算出するコントローラと、前記ＲＦＩＤリーダーによって読み取られた紙幣のＲＦＩＤデータおよび前記コントローラによって算出された紙幣に関するデータを記憶するデータ記憶手段と、前記データ記憶手段に記憶された紙幣に関するデータを表示する第一のデータ表示手段を備え、前記第一のデータ表示手段が、前記紙幣収納ケースの外側に設けられていることを特徴とする紙幣収納ケース。
【請求項２】
前記ＲＦＩＤデータが、少なくとも、その紙幣を特定するＩＤデータと、その紙幣の金種を特定する金種データを含んでいることを特徴とする請求項１に記載の紙幣収納ケース。
【請求項３】
前記ＲＦＩＤリーダーから発信された周波数の電波を遮蔽する材料によって形成されたことを特徴とする請求項１または２に記載の紙幣収納ケース。
【請求項４】
前記ＲＦＩＤリーダーが、紙幣に書き込まれたＲＦＩＤデータを読み取った後に、オフされるように構成されたことを特徴とする請求項１ないし３のいずれか１項に記載の紙幣収納ケース。
【請求項５】
前記データ記憶手段が、少なくとも２回分の読み取り処理によって得られた前記ＲＦＩＤデータおよび前記ＲＦＩＤデータに基づいて算出された紙幣に関するデータを記憶可能な記録容量を有していることを特徴とする請求項１ないし４のいずれか１項に記載の紙幣収納ケース。
【請求項６】
前記コントローラが、読み取り処理によって得られた前記ＲＦＩＤデータに基づいて算出した紙幣に関するデータと、前記データ記憶手段に記憶された過去の読み取り処理によって得られた紙幣に関するデータとを対比し、その変化分を算出可能に構成されたことを特徴とする請求項５に記載の紙幣収納ケース。
【請求項７】
さらに、前記紙幣収納ケースの開閉を検出する開閉操作検出手段を備え、前記開閉操作検出手段によって、前記紙幣収納ケースが閉じられたことが検出されたときに、前記ＲＦＩＤリーダーが起動されるように構成されたことを特徴とする請求項１ないし６のいずれか１項に記載の紙幣収納ケース。
【請求項８】
さらに、前記紙幣収納ケースを施錠および開錠可能なロック手段と、前記ロック手段によって、前記紙幣収納ケースが施錠または開錠されたことを検出するロック操作検出手段とを備え、前記ロック操作検出手段によって、前記紙幣収納ケースが施錠されたことが検出されたときに、前記ＲＦＩＤリーダーが起動されるように構成されたことを特徴とする請求項１ないし６のいずれか１項に記載の紙幣収納ケース
【請求項９】
さらに、前記第一の表示手段に表示するデータのデータ形式を切り換える切り換えスイッチを備えたことを特徴とする請求項１ないし８のいずれか１項に記載の紙幣収納ケース。
【請求項１０】
さらに、暗証番号が登録されたメモリと、暗証番号を入力するための入力手段を備え、前記第一のデータ表示手段が、前記入力手段に入力された暗証番号と前記メモリに登録された暗証番号とが一致したときに限って、前記データ記憶手段に記憶された紙幣に関するデータを表示するように構成されたことを特徴とする請求項１ないし９のいずれか１項に記載の紙幣収納ケース。
【請求項１１】
前記ロック手段が、前記入力手段に入力された暗証番号と前記メモリに登録された暗証番号とが一致したときに限って、前記紙幣収納ケースを開錠可能に構成されたことを特徴とする請求項１０に記載の紙幣収納ケース。
【請求項１２】
さらに、前記紙幣収納ケースの内側に、前記データ記憶手段に記憶された紙幣に関するデータを表示する第二のデータ表示手段を備えたことを特徴とする請求項１ないし１１のいずれか１項に記載の紙幣収納ケース。
【請求項１３】
さらに、前記第二のデータ表示手段に表示するデータのデータ形式を切り換える切り換えスイッチを備えたことを特徴とする請求項１２に記載の紙幣収納ケース。
【請求項１４】
前記第二のデータ表示手段が、前記紙幣収納ケースが開錠されたときに、起動され、前記データ記憶手段に記憶された紙幣に関するデータを表示するように構成されたことを特徴とする請求項１２または１３に記載の紙幣収納ケース。
【請求項１５】
前記第二のデータ表示手段が、所定の時間にわたって、前記データ記憶手段に記憶された紙幣に関するデータを表示した後に、オフされるように構成されたことを特徴とする請求項１４に記載の紙幣収納ケース。
【請求項１６】
さらに、前記データ記憶手段に記憶された紙幣に関するデータを表示する表示装置が接続可能な接続ターミナルを備えたことを特徴とする請求項１ないし１５のいずれか１項に記載の紙幣収納ケース。
【請求項１７】
前記接続ターミナルに、前記表示装置が接続されているときに、紙幣に関するデータの前記第一のデータ表示手段上への表示が禁止されるように構成されたことを特徴とする請求項１６に記載の紙幣収納ケース。
【請求項１８】
前記接続ターミナルが、パーソナルコンピュータを接続可能に構成されたことを特徴とする請求項１６または１７に記載の紙幣収納ケース。
【発明の詳細な説明】
【技術分野】
【０００１】
本発明は、紙幣収納ケースに関するものであり、さらに詳細には、紙幣を収納して、持ち運び可能に構成され、かつ、ユーザーが、リアルタイムに、内部に収納されている紙幣の金種や金種別枚数を容易に把握することができる紙幣収納ケースに関するものである。
【背景技術】
【０００２】
紙幣を持ち運ぶため、紙幣を収納する紙幣収納部と、施錠機構を備えた紙幣収納ケースが知られており、また、紙幣収納部および施錠機構を備え、夜間に、銀行へ預け入れる紙幣を収納するのに適するように構成された紙幣収納ケースも知られている。
【０００３】
このような紙幣収納ケースについては、防犯性能を向上させ、あるいは、取扱いを容易にするため、様々な研究開発が進められている（たとえば、特許文献１および２参照）。
【特許文献１】特開平１１−２５３２２１号公報
【特許文献２】特許第３５８３１６０号公報
【発明の開示】
【発明が解決しようとする課題】
【０００４】
しかしながら、従来の紙幣収納ケースは、もっぱら、紙幣を収納して、持ち運ぶことを目的とするものであるため、紙幣が収納されている状態で、内部に収納されている紙幣の金種や枚数を把握することは不可能であった。
【０００５】
したがって、内部に収納されている紙幣の金種や枚数を把握するためには、あらかじめ、紙幣計数機や紙幣処理機などを用いて、紙幣収納ケースに収納すべき紙幣の金種や枚数をチェックする必要があった。
【０００６】
また、紙幣計数機や紙幣処理機などを用いて、紙幣収納ケースに収納すべき紙幣の金種や枚数をチェックした上で、紙幣を紙幣収納ケースに収納した場合でも、紙幣を持ち運んでいる間に、何らかの理由で、ユーザーが、紙幣収納ケースに収納されている紙幣の一部を取り出し、あるいは、紙幣収納ケースに、紙幣を補充したときには、紙幣収納ケースのユーザーは、いかなる金種の紙幣を何枚取り出し、あるいは、補充したかを記憶しておくことが必要になり、現に、紙幣収納ケースに収納されている紙幣の金種や枚数を把握しておくことは容易ではなかった。
【０００７】
さらに、従来の紙幣収納ケースにあっては、紙幣を持ち運んでいる過程で、何らかの理由で、紙幣収納ケースのユーザーが知らない間に、第三者によって、紙幣収納ケースに収納されている紙幣の一部が取り出され、あるいは、紙幣収納ケースに、紙幣が補充されるようなことがあると、その事実が判明した時点では、何時、紙幣収納ケースに収納されている紙幣の一部が取り出され、あるいは、紙幣収納ケースに、紙幣が補充されたかを把握することは不可能であった。
【０００８】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００９】
しかしながら、ＲＦＩＤシステムを利用して、紙幣をハンドリングするシステムについての具体的な提案はほとんどなされていなかった。
【００１０】
したがって、本発明は、紙幣を収納して、持ち運び可能に構成され、かつ、ユーザーが、リアルタイムに、内部に収納されている紙幣の金種や金種別枚数を容易に把握することができる紙幣収納ケースを提供することを目的とするものである。
【課題を解決するための手段】
【００１１】
本発明の前記目的は、紙幣を収納し、持ち運び可能に構成された紙幣収納ケースであって、紙幣に書き込まれたＲＦＩＤデータを読み取るＲＦＩＤリーダーと、前記ＲＦＩＤリーダーが読み取ったＲＦＩＤデータに基づいて、紙幣に関するデータを算出するコントローラと、前記ＲＦＩＤリーダーによって読み取られた紙幣のＲＦＩＤデータおよび前記コントローラによって算出された紙幣に関するデータを記憶するデータ記憶手段と、前記データ記憶手段に記憶された紙幣に関するデータを表示する第一のデータ表示手段を備え、前記第一のデータ表示手段が、前記紙幣収納ケースの外側に設けられていることを特徴とする紙幣収納ケースによって達成される。
【００１２】
本発明によれば、紙幣収納ケースは、ＲＦＩＤリーダーによって、紙幣収納ケースに収納されている紙幣に記録されたＲＦＩＤデータを読み取って、紙幣の金種および金種別枚数などの紙幣に関するデータを、データ記憶手段に記憶し、データ記憶手段に記憶された紙幣に関するデータを、第一のデータ表示手段に表示可能に構成されているから、紙幣収納ケース内に、紙幣を収納するのに先立って、紙幣計数機や紙幣処理機などを用いて、紙幣の金種や金種別枚数などをチェックすることなく、リアルタイムに、紙幣収納ケースに収納されている紙幣の金種や金種別枚数を、第一のデータ表示手段に表示させて、容易に把握することが可能になる。
【００１３】
また、本発明によれば、紙幣収納ケースは、ＲＦＩＤリーダーによって、紙幣収納ケースに収納されている紙幣に記録されたＲＦＩＤデータを読み取って、紙幣の金種および金種別枚数などの紙幣に関するデータを、データ記憶手段に記憶し、データ記憶手段に記憶された紙幣に関するデータを、第一のデータ表示手段に表示可能に構成されているから、紙幣収納ケースに紙幣を収納して、持ち運んでいる間に、何らかの理由で、ユーザーが、紙幣収納ケースに収納されている紙幣の一部を取り出し、あるいは、紙幣収納ケースに、紙幣を補充したときにも、いかなる金種の紙幣を何枚取り出し、あるいは、補充したかを、容易に把握することが可能になるとともに、紙幣収納ケースに紙幣を収納して、持ち運んでいる過程で、何らかの理由で、ユーザーが知らない間に、第三者によって、紙幣収納ケースに収納されている紙幣の一部が取り出され、あるいは、紙幣収納ケースに、紙幣が補充されるようなことがあっても、第三者によって、いかなる金種の紙幣が何枚取り出され、あるいは、補充されたかを、容易に把握することが可能になる。
【００１４】
本発明の好ましい実施態様においては、前記ＲＦＩＤデータが、少なくとも、その紙幣を特定するＩＤデータと、その紙幣の金種を特定する金種データを含んでいる。
【００１５】
本発明のさらに実施態様においては、紙幣収納ケースが、前記ＲＦＩＤリーダーから発信された周波数の電波を遮蔽する材料によって形成されている。
【００１６】
本発明のさらに好ましい実施態様によれば、紙幣収納ケースが、ＲＦＩＤリーダーから発信された周波数の電波を遮蔽する材料によって形成されているから、ＲＦＩＤリーダーや、紙幣に形成されたインレットが、外部から発信される電波の影響を受けて、誤作動し、また、紙幣収納ケース外に存在するＲＦＩＤリーダーによって、紙幣収納ケース内に収納された紙幣のＲＦＩＤデータが読み取られることを確実に防止することが可能になる。
【００１７】
本発明のさらに好ましい実施態様においては、前記ＲＦＩＤリーダーが、紙幣に書き込まれたＲＦＩＤデータを読み取った後に、オフされるように構成されている。
【００１８】
本発明のさらに好ましい実施態様によれば、ユーザーが、ＲＦＩＤリーダーをオフしなくても、紙幣に書き込まれたＲＦＩＤデータを読み取った後に、ＲＦＩＤリーダーが自動的にオフされるので、ＲＦＩＤリーダーのオン状態が、必要以上に、維持されることがなく、したがって、紙幣収納ケースの消費電力を節減することが可能になる。
【００１９】
本発明のさらに好ましい実施態様においては、前記データ記憶手段が、少なくとも２回分の読み取り処理によって得られた前記ＲＦＩＤデータおよび前記ＲＦＩＤデータに基づいて算出された紙幣に関するデータを記憶可能な記録容量を有している。
【００２０】
本発明のさらに好ましい実施態様によれば、データ記憶手段が、少なくとも２回分の読み取り処理によって得られたＲＦＩＤデータおよびＲＦＩＤデータに基づいて算出された紙幣に関するデータを記憶可能な記録容量を有しているから、ユーザーは、たとえば、前回のＲＦＩＤデータの読み取りの際に算出された紙幣収納ケースに収納されている紙幣の合計金額と、今回のＲＦＩＤデータ読み取りの際に算出された収納紙幣の合計金額との差額を、コントローラに算出させて、第一の表示手段に表示させることができ、何らかの理由で、紙幣収納ケース内に収納されている紙幣の一部が取り出され、および／または、紙幣収納ケース内に、紙幣が補充された場合でも、リアルタイムに、いかなる金種の紙幣が何枚取り出され、および／または、補充されたかを把握することができ、紙幣収納ケースの有用性を大幅に向上させることが可能になる。
【００２１】
本発明のさらに好ましい実施態様においては、前記コントローラが、読み取り処理によって得られた前記ＲＦＩＤデータに基づいて算出した紙幣に関するデータと、前記データ記憶手段に記憶された過去の読み取り処理によって得られた紙幣に関するデータとを対比し、その変化分を算出可能に構成されている。
【００２２】
本発明のさらに好ましい実施態様によれば、コントローラが、読み取り処理によって得られたＲＦＩＤデータに基づいて算出した紙幣に関するデータと、データ記憶手段に記憶された過去の読み取り処理によって得られた紙幣に関するデータとを対比し、その変化分を算出可能に構成されているから、何らかの理由で、紙幣収納ケース内に収納されている紙幣の一部が取り出され、および／または、紙幣収納ケース内に、紙幣が補充された場合でも、リアルタイムに、いかなる金種の紙幣が何枚取り出され、および／または、補充されたかを把握することができ、紙幣収納ケースの有用性をより一層大幅に向上させることが可能になる。
【００２３】
本発明のさらに好ましい実施態様においては、紙幣収納ケースが、さらに、前記紙幣収納ケースの開閉を検出する開閉操作検出手段を備え、前記開閉操作検出手段によって、前記紙幣収納ケースが閉じられたことが検出されたときに、前記ＲＦＩＤリーダーが起動されるように構成されている。
【００２４】
本発明のさらに好ましい実施態様によれば、ユーザーが、ＲＦＩＤリーダーを起動させなくても、紙幣収納ケースを閉じたときに、自動的に、ＲＦＩＤリーダーが起動されて、紙幣に記録されたＲＦＩＤデータが読み取られ、紙幣収納ケース内に収納されている紙幣の金種別枚数などの紙幣に関するデータが生成されるから、紙幣収納ケースが閉じられ、紙幣収納ケース内に収納されている紙幣の金種別枚数などが変化した可能性があるときに、確実に、紙幣収納ケース内に収納されている紙幣の金種別枚数などの紙幣に関するデータをアップデートして、データ記憶手段に記憶させることが可能になる。
【００２５】
本発明のさらに好ましい実施態様においては、紙幣収納ケースが、さらに、前記紙幣収納ケースを施錠および開錠可能なロック手段と、前記ロック手段によって、前記紙幣収納ケースが施錠または開錠されたことを検出するロック操作検出手段とを備え、前記ロック操作検出手段によって、前記紙幣収納ケースが施錠されたことが検出されたときに、前記ＲＦＩＤリーダーが起動されるように構成されている。
【００２６】
本発明のさらに好ましい実施態様によれば、ユーザーが、ＲＦＩＤリーダーを起動させなくても、紙幣収納ケースが閉じられて、施錠されたときに、自動的に、ＲＦＩＤリーダーが起動されて、紙幣に記録されたＲＦＩＤデータが読み取られ、紙幣収納ケース内に収納されている紙幣の金種別枚数などの紙幣に関するデータが生成されるから、紙幣収納ケースが閉じられて、施錠され、紙幣収納ケース内に収納されている紙幣の金種別枚数などが変化した可能性があるときに、確実に、紙幣収納ケース内に収納されている紙幣の金種別枚数などの紙幣に関するデータをアップデートして、データ記憶手段に記憶させることが可能になる。
【００２７】
本発明のさらに好ましい実施態様においては、紙幣収納ケースが、さらに、前記第一の表示手段に表示するデータのデータ形式を切り換える切り換えスイッチを備えている。
【００２８】
本発明のさらに好ましい実施態様によれば、紙幣収納ケースが、さらに、前記第一の表示手段に表示するデータのデータ形式を切り換える切り換えスイッチを備えていから、ユーザーは、目的に応じて、第一のデータ表示手段の表示内容を、自由に切り換えることが可能になる。
【００２９】
本発明のさらに好ましい実施態様においては、紙幣収納ケースが、さらに、暗証番号が登録されたメモリと、暗証番号を入力するための入力手段を備え、前記第一のデータ表示手段が、前記入力手段に入力された暗証番号と前記メモリに登録された暗証番号とが一致したときに限って、前記データ記憶手段に記憶された紙幣に関するデータを表示するように構成されている。
【００３０】
本発明のさらに好ましい実施態様によれば、第一のデータ表示手段が、入力手段に入力された暗証番号とメモリに登録された暗証番号とが一致したときに限って、データ記憶手段に記憶された紙幣に関するデータを表示するように構成されているから、権限のない第三者が、紙幣収納ケース内に収納されている紙幣に関する情報を入手することを確実に防止することができ、紙幣収納ケースのセキュリティを大幅に向上させることが可能になる。
【００３１】
本発明のさらに好ましい実施態様においては、前記ロック手段が、前記入力手段に入力された暗証番号と前記メモリに登録された暗証番号とが一致したときに限って、前記紙幣収納ケースを開錠可能に構成されている。
【００３２】
本発明のさらに好ましい実施態様によれば、ロック手段が、前記入力手段に入力された番号と前記メモリに登録された番号とが一致したときに限って、前記紙幣収納ケースを開錠可能に構成されているから、権限のない第三者が、紙幣収納ケース内に収納されている紙幣にアクセスすることを確実に防止することができ、紙幣収納ケースのセキュリティを大幅に向上させることが可能になる。
【００３３】
本発明のさらに好ましい実施態様においては、紙幣収納ケースが、さらに、前記紙幣収納ケースの内側に、前記データ記憶手段に記憶された紙幣に関するデータを表示する第二のデータ表示手段を備えている。
【００３４】
本発明のさらに好ましい実施態様によれば、紙幣収納ケースが、さらに、前記紙幣収納ケースの内側に、データ記憶手段に記憶された紙幣に関するデータを表示する第二のデータ表示手段を備えているから、ユーザーは、紙幣収納ケースを開いたまま、紙幣収納ケース内に収納されている紙幣の金種別枚数などの紙幣に関するデータを第二のデータ表示手段に表示させて、把握することができ、紙幣収納ケースの操作性を向上させることが可能になる。
【００３５】
本発明のさらに好ましい実施態様においては、紙幣収納ケースが、前記第二のデータ表示手段に表示するデータのデータ形式を切り換える切り換えスイッチを備えている。
【００３６】
本発明のさらに好ましい実施態様によれば、紙幣収納ケースが、さらに、前記第二の表示手段に表示するデータのデータ形式を切り換える切り換えスイッチを備えていから、ユーザーは、目的に応じて、第二のデータ表示手段の表示内容を、自由に切り換えることが可能になる。
【００３７】
本発明のさらに好ましい実施態様においては、前記第二のデータ表示手段が、前記紙幣収納ケースが開錠されたときに、起動され、前記データ記憶手段に記憶された紙幣に関するデータを表示するように構成されている。
【００３８】
本発明のさらに好ましい実施態様によれば、第二のデータ表示手段が、紙幣収納ケースが開錠されたときに、起動され、データ記憶手段に記憶された紙幣に関するデータを表示するように構成されているから、ユーザーは、紙幣収納ケースを開いたときに、第二の表示手段の表示から、ただちに、紙幣収納ケース内に収納されている紙幣の金種別枚数などの紙幣に関するデータを把握することができ、紙幣収納ケースの操作性を向上させることが可能になる。
【００３９】
本発明のさらに好ましい実施態様においては、前記第二のデータ表示手段が、所定の時間にわたって、前記データ記憶手段に記憶された紙幣に関するデータを表示した後に、オフされるように構成されている。
【００４０】
本発明のさらに好ましい実施態様によれば、ユーザーが、第二の表示手段をオフしなくても、第二の表示手段は、所定の時間にわたって、紙幣に関するデータを表示した後に、自動的にオフされるので、第二の表示手段のオン状態が、必要以上に、維持されることがなく、したがって、紙幣収納ケースの消費電力を節減することが可能になる。
【００４１】
本発明のさらに好ましい実施態様においては、紙幣収納ケースが、さらに、前記データ記憶手段に記憶された紙幣に関するデータを表示する表示装置が接続可能な接続ターミナルを備えている。
【００４２】
本発明のさらに好ましい実施態様によれば、紙幣収納ケースは、さらに、データ記憶手段に記憶された紙幣に関するデータを表示する表示装置が接続可能な接続ターミナルを備えているから、紙幣収納ケースに収納されている紙幣の金種別枚数などの紙幣に関するデータを、紙幣収納ケースの外側に設けられている第一のデータ表示手段に表示することなく、接続ターミナルに接続された表示装置に表示することができ、したがって、権限のない第三者が、紙幣収納ケース内に収納されている紙幣に関する情報を入手することをより確実に防止することができ、紙幣収納ケースのセキュリティを大幅に向上させることが可能になる。
【００４３】
本発明のさらに好ましい実施態様においては、前記接続ターミナルに、前記表示装置が接続されているときに、紙幣に関するデータの前記第一のデータ表示手段上への表示が禁止されるように構成されている。
【００４４】
本発明のさらに好ましい実施態様によれば、接続ターミナルに、表示装置が接続されているときに、紙幣に関するデータの第一のデータ表示手段上への表示が禁止されるように構成されているから、紙幣収納ケースに収納されている紙幣の金種別枚数などの紙幣に関するデータを、紙幣収納ケースの外側に設けられている第一のデータ表示手段に代えて、接続ターミナルに接続された表示装置に表示することができ、したがって、権限のない第三者が、紙幣収納ケース内に収納されている紙幣に関する情報を入手することをより確実に防止することができ、紙幣収納ケースのセキュリティを大幅に向上させることが可能になる。
【００４５】
本発明のさらに好ましい実施態様においては、前記接続ターミナルが、パーソナルコンピュータを接続可能に構成されている。
【００４６】
本発明のさらに好ましい実施態様によれば、接続ターミナルが、パーソナルコンピュータを接続可能に構成されているから、パーソナルコンピュータを用いて、紙幣収納ケースに収納されている紙幣の金種別枚数などの紙幣に関するデータに種々の加工処理を施すことができ、紙幣収納ケースに収納されている紙幣の金種別枚数などの紙幣に関するデータを所望のように管理することが可能になる。
【発明の効果】
【００４７】
本発明によれば、紙幣を収納して、持ち運び可能に構成され、かつ、ユーザーが、リアルタイムに、内部に収納されている紙幣の金種や金種別枚数を容易に把握することができる紙幣収納ケースを提供することが可能になる。
【発明を実施するための最良の形態】
【００４８】
以下、添付図面に基づいて、本発明の好ましい実施態様につき、詳細に説明を加える。
【００４９】
図１および図２は、本発明の好ましい実施態様にかかる紙幣収納トランクの略斜視図であり、図１は、紙幣収納トランクが開かれた状態を示し、図２は、紙幣収納トランクが閉じられた状態を示している。
【００５０】
本実施態様にかかる紙幣収納トランクは、紙幣の発行権限を有する機関によって、ＩＣチップとアンテナを内蔵したインレットが形成され、インレット中のＩＣチップに、紙幣のＩＤデータ、紙幣の金種データなどのＲＦＩＤデータが、特定のフォーマットで、記録された紙幣を収納し、持ち運び可能に構成されている。ここに、紙幣に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００５１】
インレットを紙幣に形成する方法としては、紙幣用の紙を抄く際に、紙幣用の紙にインレットを埋め込む方法、紙幣にインレットを貼り付ける方法、紙幣にインレットを印刷する方法などが挙げられるが、とくに限定されるものではない。
【００５２】
図１および図２に示されるように、本実施態様にかかる紙幣収納トランク１は、紙幣を収納するトランク本体２と、トランク本体２の一側面の上部に、揺動可能に取り付けられた蓋部３を備えている。
【００５３】
図１および図２に示されるように、トランク本体２の蓋部３が取り付けられた一側面の対向する側面には、ハンドル４が取り付けられ、さらに、蓋部３を施錠するためのキー（図示せず）が挿入されるキーホール５と、暗証番号を入力するための入力ボード６が設けられている。
【００５４】
本実施態様においては、紙幣収納トランク１は、ユーザが所定の暗証番号を入力しない限りは、キーホール５に挿入したキーを操作しても、開錠できないように構成されている。
【００５５】
図１に示されるように、蓋部３のトランク本体２に取り付けられた側部に対向する側部のトランク本体２に当接可能な表面には、蓋部３の開閉を検出するセンサ７が設けられ、蓋部３の内面には、紙幣に形成されたインレット中のＩＣチップに記録された紙幣のＩＤデータ、紙幣の金種データなどのＲＦＩＤデータを読み取るＲＦＩＤリーダー８と、ＲＦＩＤリーダー８によって読み取られたＲＦＩＤデータに基づいて、紙幣収納トランク１内に収納されている紙幣に関するデータや、メッセージを表示する第二のディスプレイ９と、第二のディスプレイ９をオン・オフするとともに、第二のディスプレイ９に表示されるデータの形式を切り換える第二のディスプレイスイッチ１０を備えている。
【００５６】
図２に示されるように、ハンドル４が設けられたトランク本体２の外側面に連なる蓋部３の外側面には、ＲＦＩＤリーダー８によって読み取られたＲＦＩＤデータに基づいて、紙幣収納トランク１内に収納されている紙幣に関するデータや、メッセージを表示する第一のディスプレイ１１と、第一のディスプレイ１１をオン・オフするとともに、第一のディスプレイ１１に表示されるデータの形式を切り換える第一のディスプレイスイッチ１２と、後述するフラッシュメモリに書き込まれているデータの一部を消去するリセットスイッチ１３とが設けられている。
【００５７】
センサ７は、紙幣収納トランク１の蓋部３が閉じられたことを検出すると、第一の検出信号を後述するＣＰＵに出力し、紙幣収納トランク１の蓋部３が開かれたことを検出すると、第二の検出信号をＣＰＵに出力するように構成されている。
【００５８】
図１および図２に示されるように、第一のディスプレイ１１、第一のディスプレイスイッチ１２およびリセットスイッチ１３が設けられた蓋部３の外側面の下端部には、一対のロック部材１４ａ、１４ａが設けられ、ハンドル４が設けられたトランク本体２の外側面の上端部には、ロック部材１４ａ、１４ａに対応する位置に、一対のロック部材係合部１４ｂ、１４ｂが設けられており、蓋部３を閉じた際に、一対のロック部材１４ａ、１４ａを対応するロック部材係合部１４ｂ、１４ｂに係合させることによって、蓋部３をトランク本体２に固定可能に構成されている。
【００５９】
本実施態様においては、ＲＦＩＤリーダー８や、紙幣に形成されたインレットが、外部から発信される電波の影響を受けて、誤作動し、また、紙幣収納トランク１外に存在するＲＦＩＤリーダーによって、紙幣収納トランク１内に収納された紙幣のＲＦＩＤデータが読み取られるのを防止するため、トランク本体２および蓋部３は、ＲＦＩＤリーダー８から発信される周波数の電波を遮蔽する性質を有する材料によって形成されている。
【００６０】
図３は、本実施態様にかかる紙幣収納トランク１の制御系、検出系および入力系のブロックダイアグラムである。
【００６１】
図３に示されるように、本実施態様にかかる紙幣収納トランク１の制御系は、紙幣収納トランク１全体の電気的動作を制御するとともに、ＲＦＩＤリーダー８によって読み取られたＲＦＩＤデータに基づいて、紙幣に関するデータを算出するＣＰＵ２０と、制御プログラムなどが格納されたＲＯＭ２１と、各種データを一時的に記憶するＲＡＭ２２と、ＲＦＩＤリーダー８によって読み取られたＲＦＩＤデータおよびＣＰＵ２０によって算出された紙幣に関するデータを記憶するとともに、暗証番号を記憶するフラッシュメモリ２３とを備えている。
【００６２】
本実施態様においては、フラッシュメモリ２３は、少なくとも２回の読み取り操作によって、ＲＦＩＤリーダー８によって読み取られたＲＦＩＤデータおよびＲＦＩＤリーダー８によって読み取られたＲＦＩＤデータに基づき、ＣＰＵ２０によって算出された紙幣に関するデータを記憶可能な容量を備えている。
【００６３】
また、図３に示されるように、本実施態様にかかる紙幣収納トランク１の検出系は、蓋部３の開閉を検出するセンサ７および紙幣に形成されたインレット中のＩＣチップに記録された紙幣のＩＤデータ、紙幣の金種データなどのＲＦＩＤデータを読み取るＲＦＩＤリーダー８を備えている。
【００６４】
さらに、図３に示されるように、本実施態様にかかる紙幣収納トランク１の入力系は、第二のディスプレイ９と、第二のディスプレイスイッチ１０と、第一のディスプレイ１１と、第一のディスプレイスイッチ１２と、リセットスイッチ１３とを備えている。
【００６５】
以上のように構成された本実施態様にかかる紙幣収納トランク１は、ユーザーが、紙幣が収納されていない紙幣収納トランク１内に、新たに、紙幣を収納し、紙幣収納トランク１を閉じた場合あるいはユーザーが、紙幣を収納した紙幣収納トランク１を持ち運んでいる過程で、紙幣収納トランク１を開き、再び、紙幣収納トランク１を閉じた場合には、以下のようにして、紙幣収納トランク１内に収納されている紙幣の金種および金種別枚数に関するデータを生成し、ユーザーの指示にしたがって、蓋部３の外側面に設けられた第一のディスプレイ１１に表示する。
【００６６】
まず、ユーザーによって、紙幣収納トランク１の蓋部３が閉じられると、センサ７から、蓋部検出信号が、ＣＰＵ２０に出力される。
【００６７】
次いで、ユーザーによって、ロック部材１４ａ、１４ａがロック部材係合部１４ｂ、１４ｂに係合されて、蓋部３がトランク本体２に固定され、さらに、キー（図示せず）がキーホール５に挿入されて、紙幣収納トランク１が施錠される。
【００６８】
キーがキーホール５に挿入されると、キー検出部（図示せず）によって、キーが検出され、ＣＰＵ２０に、キー検出信号が出力される。
【００６９】
センサ７から、蓋部検出信号が入力されてから、所定の時間内に、キー検出信号を受けると、ＣＰＵ２０は、ＲＦＩＤリーダー８に起動信号を出力して、ＲＦＩＤリーダー８を起動させる。
【００７０】
次いで、ＲＦＩＤリーダー８から、所定の周波数帯域の電波が発信されて、紙幣に形成されたインレット内のコイルが励起され、インレット内のＩＣチップに記録されたＲＦＩＤデータの内容に応じた電波が、ＲＦＩＤリーダー８に返信される。その後に、ＲＦＩＤリーダー８によって、紙幣に形成されたインレットから返信された電波が、電気信号に変換され、ＲＦＩＤデータに復調される。こうして、紙幣収納トランク１内に収納された紙幣のインレット内のＩＣチップに記録されているＩＤデータおよび金種データなどのＲＦＩＤデータが読み取られる。
【００７１】
ＲＦＩＤリーダー８によって読み取られた紙幣に記録されたＲＦＩＤデータは、ＣＰＵ２０に出力され、ＣＰＵ２０によって、紙幣収納トランク１に収納された紙幣の金種および金種別枚数に関するデータが算出される。
【００７２】
こうして算出された紙幣の金種および金種別枚数に関するデータは、紙幣のＲＦＩＤデータとともに、フラッシュメモリ２３に書き込まれる。
【００７３】
次いで、ＣＰＵ２０は、ＲＦＩＤリーダー８に駆動停止信号を出力し、ＲＦＩＤリーダー８をオフさせる。
【００７４】
このように、紙幣収納トランク１が閉じられると、ＲＦＩＤリーダー８によって、紙幣収納トランク１内に収納された紙幣のインレット内のＩＣチップに記録されているＩＤデータおよび金種データなどのＲＦＩＤデータが読み取られ、ＲＦＩＤリーダー８によって読み取られた紙幣のＲＦＩＤデータに基づき、紙幣収納トランク１に収納された紙幣の金種および金種別枚数に関するデータが生成されて、紙幣のＲＦＩＤデータとともに、フラッシュメモリ２３に書き込まれるが、ユーザーから所定の指示がないかぎり、第二のディスプレイ９および第一のディスプレイ１１のいずれにも、紙幣の金種および金種別枚数に関するデータは表示されない。
【００７５】
こうして、紙幣収納トランク１を閉じた直後に、あるいは、紙幣を収納した紙幣収納トランク１を持ち運んでいる過程で、ユーザーが、紙幣収納トランク１内に収納されている紙幣の金種および金種別枚数などの紙幣に関するデータを把握したいと考えたときは、ユーザーによって、第一のディスプレイスイッチ１２がオンされる。
【００７６】
ユーザーによって、第一のディスプレイスイッチ１２がオンされると、第一のディスプレイ起動信号が、ＣＰＵ２０に出力される。
【００７７】
ＣＰＵ２０は、第一のディスプレイ起動信号を受けると、蓋部３の外側面に設けられた第一のディスプレイ１１を起動し、第一のディスプレイ１１に、暗証番号を入力すべき旨のメッセージを表示する。
【００７８】
第一のディスプレイ１１に表示されたメッセージに応答して、ユーザーが、入力ボード６を用いて、暗証番号を入力すると、入力された暗証番号がＣＰＵ２０に出力される。
【００７９】
ＣＰＵ２０は、ユーザーによって入力された暗証番号と、フラッシュメモリ２３に記憶された暗証番号とを対比し、両者が一致しているか否かを判定する。
【００８０】
その結果、ユーザーによって入力された暗証番号とフラッシュメモリ２３にあらかじめ記憶されている暗証番号とが一致しないときは、ＣＰＵ２０は、正しい暗証番号を入力すべき旨をユーザーに促すメッセージを、第一のディスプレイ１１に表示する。
【００８１】
これに対して、ユーザーによって入力された暗証番号とフラッシュメモリ２３にあらかじめ記憶されている暗証番号とが一致しているときは、ＣＰＵ２０は、紙幣収納トランク１内に収納されている紙幣の金種および金種別枚数に関するデータを、フラッシュメモリ２３から読み出し、蓋部３の外側面に設けられた第一のディスプレイ１１に表示させる。
【００８２】
こうして、ユーザーは、紙幣収納トランク１内に収納されている紙幣の金種および金種別枚数を把握することができる。
【００８３】
ここに、ＣＰＵ２０は、ＲＦＩＤリーダー８によって読み取られた紙幣収納トランク１内に収納されている紙幣のＲＦＩＤデータに基づいて算出され、フラッシュメモリ２３に保存されている紙幣の金種および金種別枚数に関するデータに基づいて、紙幣収納トランク１内に収納されている紙幣の金種別合計金額や、総枚数、総金額など、種々の紙幣に関するデータを算出して、フラッシュメモリ２３に保存することができるように構成されており、ユーザーは、第一のディスプレイスイッチ１２を操作することにより、第一のディスプレイ１１に表示されるべき紙幣に関するデータのデータ形式を切り換えることができるように構成されている。
【００８４】
本実施態様においては、フラッシュメモリ２３には、少なくとも２回の読み取り操作によって、ＲＦＩＤリーダー８によって読み取られたＲＦＩＤデータおよびＲＦＩＤリーダー８によって読み取られたＲＦＩＤデータに基づいて、ＣＰＵ２０が算出した紙幣の金種および金種別枚数に関するデータが記憶されており、ユーザーは、第一のディスプレイスイッチ１２を操作することによって、前回のＲＦＩＤデータ読み取りの際に算出され、フラッシュメモリ２３に記憶されている収納紙幣の金種および金種別枚数、あるいは、収納紙幣の金種別合計金額や、収納紙幣の総枚数、総金額などの紙幣に関するデータを、第一のディスプレイ１１に表示させ、さらには、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０に算出させて、第一のディスプレイ１１に表示させることができるように構成されている。
【００８５】
その一方で、紙幣が収納されていない紙幣収納トランク１内に、新たに、紙幣を収納した場合などは、直前のＲＦＩＤデータ読み取りの際に算出され、フラッシュメモリ２３に記憶されている収納紙幣の金種および金種別枚数などの紙幣に関するデータ以外のデータを、第一のディスプレイ１１に表示させる必要はなく、逆に、直前のＲＦＩＤデータ読み取りの際に算出され、フラッシュメモリ２３に記憶されている収納紙幣の金種および金種別枚数などの紙幣に関するデータ以外のデータが、フラッシュメモリ２３に記憶されている場合には、混乱の原因になるから、本実施態様においては、ユーザーが、リセットスイッチ１３を操作することによって、直前のＲＦＩＤデータ読み取りの際に算出され、フラッシュメモリ２３に記憶されている収納紙幣の金種および金種別枚数などの紙幣に関するデータ以外のデータを消去することができるように構成されている。
【００８６】
紙幣に関するデータを、第一のディスプレイ１１に表示した後、所定の時間が経過すると、ＣＰＵ２０は、消費電力を節減するために、第一のディスプレイ１１をオフする。
【００８７】
一旦、第一のディスプレイ１１がオフされた後に、ユーザーが、再度、紙幣収納トランク１内に収納された紙幣の金種および金種別枚数などの紙幣に関するデータを、第一のディスプレイ１１に表示させたいときは、ユーザーは、第一のディスプレイスイッチ１２をオンさせる。
【００８８】
ユーザーによって、第一のディスプレイスイッチ１２がオンされると、第一のディスプレイ起動信号が、ＣＰＵ２０に出力される。
【００８９】
第一のディスプレイ起動信号が入力されると、ＣＰＵ２０は、フラッシュメモリ２３に書き込まれた紙幣収納トランク１内に収納されている紙幣の金種および金種別枚数などの紙幣に関するデータを読み出すとともに、第一のディスプレイ１１を再起動させ、フラッシュメモリ２３から読み出した収納紙幣に関するデータを、蓋部３の外側面に設けられた第一のディスプレイ１１に表示する。
【００９０】
一方、ユーザーが紙幣収納トランク１を開いたときは、以下のようにして、紙幣収納トランク１に収納されている紙幣の金種および金種別枚数などの紙幣に関するデータが、蓋部３の内面に設けられた第二のディスプレイ９に表示される。
【００９１】
ユーザーが、キーホール５にキー（図示せず）を挿入すると、キー検出部（図示せず）によって、キーが検出され、ＣＰＵ２０に、キー検出信号が出力される。
【００９２】
キー検出部からキー検出信号が入力されると、ＣＰＵ２０は、キー検出信号を受ける前に、所定の時間を越えて、センサ７から、蓋部検出信号が入力されていたか否かを判定する。
【００９３】
その結果、キー検出信号を受ける前に、センサ７から蓋部検出信号が入力されていたが、センサ７から蓋部検出信号が入力されていた期間は所定の時間以下であると判定したときは、紙幣収納トランク１の蓋部３が閉じられ、紙幣収納トランク１を施錠するために、キーがキーホール５に挿入されたと認められるから、ＣＰＵ２０は、ＲＦＩＤリーダー８に起動信号を出力して、ＲＦＩＤリーダー８を起動させる。
【００９４】
これに対して、キー検出信号を受ける前に、所定の時間を越えて、センサ７から、蓋部検出信号が入力されていたときは、紙幣収納トランク１を開錠するために、キーがキーホール５に挿入されたと認められるから、ＣＰＵ２０は、第一のディスプレイ１１を起動し、蓋部３の外側面に設けられた第一のディスプレイ１１に、暗証番号を入力すべき旨のメッセージを表示する。
【００９５】
ユーザーによって、入力ボード６に暗証番号が入力されると、暗証番号はＣＰＵ２０に出力され、ＣＰＵ２０によって、ユーザーによって入力された暗証番号とフラッシュメモリ２３にあらかじめ記憶されている暗証番号とが対比される。
【００９６】
その結果、ユーザーによって入力された暗証番号とフラッシュメモリ２３にあらかじめ記憶されている暗証番号とが一致しないときは、ＣＰＵ２０は、紙幣収納トランク１の開錠を許可することなく、正しい暗証番号を入力すべき旨をユーザーに促すメッセージを、第一のディスプレイ１１に表示する。
【００９７】
これに対して、ユーザーによって入力された暗証番号とフラッシュメモリ２３にあらかじめ記憶されている暗証番号とが一致しているときは、ＣＰＵ２０は、紙幣収納トランク１の開錠を許可し、キーを操作すべき旨のメッセージを、第一のディスプレイ１１に表示する。
【００９８】
ユーザーが、キーを操作して、紙幣収納トランク１を開錠し、紙幣収納トランク１の蓋部３を開くと、センサ７から、蓋部検出信号が入力されなくなる。
【００９９】
センサ７から、蓋部検出信号が入力されなくなると、ＣＰＵ２０は、フラッシュメモリ２３に書き込まれた紙幣収納トランク１内に収納されている紙幣の金種および金種別枚数などの紙幣に関するデータを読み出すとともに、蓋部３の内面に設けられた第二のディスプレイ９を起動させて、フラッシュメモリ２３から読み出した収納紙幣に関するデータを、第二のディスプレイ９に表示する。
【０１００】
本実施態様においては、ユーザーは、第二のディスプレイスイッチ１０を操作することによって、前回のＲＦＩＤデータ読み取りの際に算出され、フラッシュメモリ２３に記憶されている収納紙幣の金種および金種別枚数、あるいは、収納紙幣の金種別合計金額や、収納紙幣の総枚数、総金額などの紙幣に関するデータを、第二のディスプレイ９に表示させ、さらには、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０に算出させて、第二のディスプレイ９に表示させることができるように構成されている。
【０１０１】
収納紙幣に関するデータを、第二のディスプレイ９に表示した後、所定の時間が経過すると、ＣＰＵ２０は、消費電力を節減するために、第二のディスプレイ９をオフする。
【０１０２】
一旦、第二のディスプレイ９がオフされた後に、ユーザーが、再度、紙幣収納トランク１内に収納された紙幣の金種および金種別枚数などの紙幣に関するデータを、第二のディスプレイ９に表示させたいときは、ユーザーは、第二のディスプレイスイッチ１０をオンさせる。
【０１０３】
ユーザーによって、第二のディスプレイスイッチ１０がオンされると、第二のディスプレイスイッチ起動信号が、ＣＰＵ２０に出力される。
【０１０４】
第二のディスプレイスイッチ起動信号が入力されると、ＣＰＵ２０は、フラッシュメモリ２３に書き込まれた紙幣収納トランク１内に収納されている紙幣の金種および金種別枚数などの紙幣に関するデータを読み出すとともに、第二のディスプレイ９を再起動させ、フラッシュメモリ２３から読み出した収納紙幣に関するデータを、蓋部３の内面に設けられた第二のディスプレイ９に表示する。
【０１０５】
この場合にも、ユーザーは、第二のディスプレイスイッチ１０を操作することによって、前回のＲＦＩＤデータ読み取りの際に算出され、フラッシュメモリ２３に記憶されている収納紙幣の金種および金種別枚数、あるいは、収納紙幣の金種別合計金額や、収納紙幣の総枚数、総金額などの紙幣に関するデータを、第二のディスプレイ９に表示させ、さらには、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０に算出させて、第二のディスプレイ９に表示させることができる。
【０１０６】
このように、本実施態様においては、紙幣収納トランク１が閉じられると、ＲＦＩＤリーダー８が自動的に起動され、ＲＦＩＤリーダー８によって、紙幣収納トランク１に収納されている紙幣に形成されたインレットのＩＣチップに記録されたＲＦＩＤデータが読み取られ、ＣＰＵ２０によって、ＲＦＩＤリーダー８が読み取った紙幣のＲＦＩＤデータに基づき、紙幣収納トランク１内に収納されている紙幣の金種および金種別枚数に関するデータが生成されて、フラッシュメモリ２３に書き込まれるように構成されており、したがって、ユーザーが、紙幣が収納されていない紙幣収納トランク１内に、新たに、紙幣を収納し、紙幣収納トランク１を閉じた場合には、ユーザーによって、紙幣が収納されていない紙幣収納トランク１内に、新たに収納された紙幣の金種および金種別枚数に関するデータが、フラッシュメモリ２３に書き込まれ、また、ユーザーが、紙幣収納トランク１を開いて、紙幣収納トランク１内に収納されていた紙幣の一部を取り出し、および／または、紙幣収納トランク１内に、紙幣が補充し、紙幣収納トランク１を閉じた場合には、紙幣収納トランク１を閉じた時点で、紙幣収納トランク１内に収納されている紙幣の金種および金種別枚数に関するデータが、フラッシュメモリ２３に書き込まれる。
【０１０７】
こうして、フラッシュメモリ２３に書き込まれた紙幣収納トランク１内に収納されている紙幣の金種および金種別枚数に関するデータあるいは紙幣の金種および金種別枚数に関するデータに基づいて、ＣＰＵ２０によって算出され、フラッシュメモリ２３に保存された収納紙幣の金種別合計金額や、収納紙幣の総枚数、総金額などの紙幣に関するデータは、ユーザーが、第一のディスプレイスイッチ１２をオンし、蓋部３の外側面に設けられた第一のディスプレイ１１に表示されたメッセージにしたがって、入力ボード６を用いて、フラッシュメモリ２３に登録されている暗証番号を入力することによって、蓋部３の外側面に設けられた第一のディスプレイ１１に表示される。
【０１０８】
したがって、本実施態様によれば、ユーザーは、紙幣収納トランク１を閉じた直後においても、また、紙幣を収納した紙幣収納トランク１を持ち運んでいる過程においても、紙幣収納トランク１を閉じたまま、紙幣収納トランク１内に収納されている紙幣の金種および金種別枚数や、収納紙幣の金種別合計金額、収納紙幣の総枚数、総金額などの紙幣に関するデータを、蓋部３の外側面に設けられた第一のディスプレイ１１に表示させて、リアルタイムで、正確に把握することができるから、あらかじめ、紙幣処理機などによって、紙幣収納トランク１内に収納すべき紙幣の金種および金種別枚数などを計数した上で、紙幣を紙幣収納トランク１内に収納する必要がなくなり、紙幣収納トランク１の有用性を大幅に向上させることが可能になる。
【０１０９】
また、本実施態様によれば、紙幣収納トランク１が閉じられているときは、正しい暗証番号が入力ボード６に入力されない限り、紙幣収納トランク１内に収納されている紙幣の金種および金種別枚数や、収納紙幣の金種別合計金額、収納紙幣の総枚数、総金額などの紙幣に関するデータが、蓋部３の外側面に設けられた第一のディスプレイ１１に表示されないように構成されているから、権限のない第三者は、紙幣収納トランク１内に収納されている紙幣の金種および金種別枚数や、収納紙幣の金種別合計金額、収納紙幣の総枚数、総金額などの紙幣に関する情報を知ることができず、したがって、紙幣収納トランク１のセキュリティを大幅に向上させることが可能になる。
【０１１０】
また、本実施態様においては、ユーザーが、キーホール５にキーを挿入し、蓋部３の外側面に設けられた第一のディスプレイ１１に表示されたメッセージにしたがって、入力ボード６を用いて、フラッシュメモリ２３に登録されている暗証番号を入力し、キーを操作することによって、紙幣収納トランク１を開錠し、紙幣収納トランク１の蓋部３を開くことができ、紙幣収納トランク１の蓋部３が開かれると、フラッシュメモリ２３に記憶されている紙幣収納トランク１内に収納された紙幣の金種および金種別枚数や、収納紙幣の金種別合計金額、収納紙幣の総枚数、総金額などの紙幣に関するデータが自動的に読み出されて、蓋部３の内面に設けられた第二のディスプレイ９に表示されるように構成されている。
【０１１１】
したがって、本実施態様によれば、リアルタイムで、紙幣収納トランク１内に収納されている紙幣の金種および金種別枚数や、収納紙幣の金種別合計金額、収納紙幣の総枚数、総金額などの紙幣に関するデータを把握することができ、紙幣収納トランク１の有用性を大幅に向上させることが可能になる。
【０１１２】
さらに、本実施態様によれば、入力ボード６に暗証番号を入力しない限り、紙幣収納トランク１を開錠できないように構成されているから、権限のない第三者が、紙幣収納トランク１を開錠して、紙幣収納トランク１内に収納された紙幣にアクセスすることを確実に防止することができ、したがって、紙幣収納トランク１のセキュリティを大幅に向上させることが可能になる。
【０１１３】
また、本実施態様によれば、紙幣収納トランク１の蓋部３が閉じられているときは、さらに、第一のディスプレイスイッチ１２を操作することにより、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０に算出させて、第一のディスプレイ１１に表示させることができ、紙幣収納トランク１の蓋部３が開かれているときは、さらに、第二のディスプレイスイッチ１０を操作することによって、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０に算出させて、第二のディスプレイ９に表示させることができるように構成されているから、何らかの理由で、紙幣収納トランク１内に収納されている紙幣の一部が取り出され、および／または、紙幣収納トランク１内に、紙幣が補充された場合でも、リアルタイムに、いかなる金種の紙幣が何枚取り出され、および／または、補充されたかを把握することができ、紙幣収納トランク１の有用性を大幅に向上させることが可能になる。
【０１１４】
さらに、本実施態様によれば、第二のディスプレイ９および第一のディスプレイ１１は、収納紙幣に関するデータを表示した後、所定時間が経過した時点で、オフされるように構成されているから、消費電力を節減することが可能になる。
【０１１５】
図４および図５は、本発明の好ましい実施態様にかかる紙幣収納トランクの略斜視図であり、図４は、紙幣収納トランクが開かれた状態を示し、図５は、紙幣収納トランクが閉じられた状態を示している。
【０１１６】
本実施態様にかかる紙幣収納トランクも、前記実施態様にかかる紙幣収納トランク１と同様に、紙幣の発行権限を有する機関によって、ＩＣチップとアンテナを内蔵したインレットが形成され、インレット中のＩＣチップに、紙幣のＩＤデータ、紙幣の金種データなどのＲＦＩＤデータが、特定のフォーマットで、記録された紙幣を収納し、持ち運び可能に構成されている。ここに、紙幣に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【０１１７】
本実施態様にかかる紙幣収納トランク３０は、パーソナルコンピュータに、紙幣収納トランク３０内に収納されている紙幣の金種および金種別枚数に関するデータを出力して、パーソナルコンピュータのディスプレイに表示するとともに、パーソナルコンピュータによって、紙幣収納トランク３０から入力された紙幣の金種および金種別枚数に関するデータを加工して、収納紙幣の金種別合計金額、収納紙幣の総枚数、総金額などの紙幣に関するデータを生成し、さらには、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を算出して、ディスプレイに表示し、あるいは、変化分をグラフ化して、ディスプレイに表示するなど、紙幣に関するデータを管理することができるように構成されており、図４および図５に示されるように、トランク本体２の一側面に、パーソナルコンピュータ４０を接続可能な接続ターミナル３５が設けられている点を除き、前記実施態様にかかる紙幣収納トランク１と同一の機械的構成を有している。
【０１１８】
図６は、本実施態様にかかる紙幣収納トランク３０の制御系、検出系および入力系のブロックダイアグラムである。
【０１１９】
図６に示されるように、本実施態様にかかる紙幣収納トランク３０の制御系は、紙幣収納トランク３０全体の電気的動作を制御するとともに、ＲＦＩＤリーダー８によって読み取られたＲＦＩＤデータに基づいて、紙幣収納トランク３０に収納されている紙幣の金種および金種別枚数などの紙幣に関するデータを算出するＣＰＵ２０と、制御プログラムなどが格納されたＲＯＭ２１と、各種データを一時的に記憶するＲＡＭ２２と、ＲＦＩＤリーダー８によって読み取られたＲＦＩＤデータおよびＣＰＵ２０によって算出された紙幣に関するデータを記憶するフラッシュメモリ２３とを備えている。
【０１２０】
本実施態様においても、フラッシュメモリ２３は、少なくとも２回の読み取り操作によって、ＲＦＩＤリーダー８によって読み取られたＲＦＩＤデータおよびＲＦＩＤリーダー８によって読み取られたＲＦＩＤデータに基づき、ＣＰＵ２０によって算出された紙幣に関するデータを記憶可能な容量を備えるとともに、あらかじめ、入力された暗証番号が、登録され、記憶されている。
【０１２１】
また、図６に示されるように、本実施態様にかかる紙幣収納トランク３０の検出系は、蓋部３の開閉を検出するセンサ７、紙幣に形成されたインレット中のＩＣチップに記録された紙幣のＩＤデータ、紙幣の金種データなどのＲＦＩＤデータを読み取るＲＦＩＤリーダー８およびキー（図示せず）が操作されて、紙幣収納トランク３０が施錠または開錠されたことを検出するキー操作検出センサ３６とを備えている。
【０１２２】
さらに、図６に示されるように、本実施態様にかかる紙幣収納トランク３０の入力系は、第二のディスプレイ９と、第二のディスプレイスイッチ１０と、第一のディスプレイ１１と、第一のディスプレイスイッチ１２と、リセットスイッチ１３と、パーソナルコンピュータ４０を接続可能な接続ターミナル３５とを備えている。
【０１２３】
以上のように構成された本実施態様にかかる紙幣収納トランク３０は、ユーザーが、紙幣が収納されていない紙幣収納トランク３０内に、新たに、紙幣を収納し、紙幣収納トランク３０を施錠した場合あるいはユーザーが、紙幣を収納した紙幣収納トランク３０を持ち運んでいる過程で、紙幣収納トランク３０を開き、再び、紙幣収納トランク１を閉じて、施錠した場合には、以下のようにして、紙幣収納トランク３０内に収納されている紙幣の金種および金種別枚数に関するデータを生成し、ユーザーの指示にしたがって、蓋部３の外側面に設けられた第一のディスプレイ１１またはパーソナルコンピュータ４０のディスプレイ４０ａに表示する。
【０１２４】
まず、ユーザーによって、紙幣収納トランク３０の蓋部３が閉じられると、センサ７から、蓋部検出信号が、ＣＰＵ２０に出力される。
【０１２５】
次いで、ユーザーによって、ロック部材１４ａ、１４ａがロック部材係合部１４ｂ、１４ｂに係合されて、蓋部３がトランク本体２に固定され、さらに、キー（図示せず）がキーホール５に挿入されて、操作され、紙幣収納トランク３０が施錠される。
【０１２６】
キーホール５に挿入されたキーが操作されて、紙幣収納トランク３０が施錠されると、キー操作検出センサ３６から、施錠操作検出信号がＣＰＵ２０に入力される。
【０１２７】
キー操作検出センサ３６から、施錠操作検出信号を受けると、ＣＰＵ２０は、ＲＦＩＤリーダー８に起動信号を出力して、ＲＦＩＤリーダー８を起動させる。
【０１２８】
次いで、ＲＦＩＤリーダー８から、所定の周波数帯域の電波が発信されて、紙幣に形成されたインレット内のコイルが励起され、インレット内のＩＣチップに記録されたＲＦＩＤデータの内容に応じた電波が、ＲＦＩＤリーダー８に返信される。その後に、ＲＦＩＤリーダー８によって、紙幣に形成されたインレットから返信された電波が、電気信号に変換され、ＲＦＩＤデータに復調される。こうして、紙幣収納トランク３０内に収納されている紙幣のインレット内のＩＣチップに記録されているＩＤデータおよび金種データなどのＲＦＩＤデータが読み取られる。
【０１２９】
ＲＦＩＤリーダー８によって読み取られた紙幣に記録されたＲＦＩＤデータは、ＣＰＵ２０に出力され、ＣＰＵ２０によって、紙幣収納トランク３０に収納されている紙幣の金種および金種別枚数に関するデータが算出される。
【０１３０】
こうして算出された紙幣の金種および金種別枚数に関するデータは、紙幣のＲＦＩＤデータとともに、フラッシュメモリ２３に書き込まれる。
【０１３１】
ここに、ＣＰＵ２０は、前記実施態様と同様に、ＲＦＩＤリーダー８によって読み取られた紙幣収納トランク３０内に収納されている紙幣のＲＦＩＤデータに基づいて算出され、フラッシュメモリ２３に保存されている紙幣の金種および金種別枚数に関するデータに基づいて、紙幣収納トランク３０内に収納されている紙幣の金種別合計金額や、総枚数、総金額など、種々の紙幣に関するデータを算出して、フラッシュメモリ２３に保存することができるように構成されている。
【０１３２】
次いで、ＣＰＵ２０は、ＲＦＩＤリーダー８に駆動停止信号を出力し、ＲＦＩＤリーダー８をオフさせる。
【０１３３】
このように、紙幣収納トランク３０が閉じられ、施錠されると、ＲＦＩＤリーダー８によって、紙幣収納トランク３０内に収納された紙幣のインレット内のＩＣチップに記録されているＩＤデータおよび金種データなどのＲＦＩＤデータが読み取られ、ＲＦＩＤリーダー８によって読み取られた紙幣のＲＦＩＤデータに基づき、紙幣収納トランク３０に収納されている紙幣の金種および金種別枚数に関するデータが生成されて、紙幣のＲＦＩＤデータとともに、フラッシュメモリ２３に書き込まれるが、ユーザーから所定の指示がないかぎり、第二のディスプレイ９、第一のディスプレイ１１およびパーソナルコンピュータ４０のディスプレイ４０ａのいずれにも、紙幣の金種および金種別枚数に関するデータは表示されない。
【０１３４】
こうして、紙幣収納トランク３０を施錠した直後に、あるいは、紙幣を収納した紙幣収納トランク３０を持ち運んでいる過程で、ユーザーが、紙幣収納トランク３０内に収納されている紙幣の金種および金種別枚数に関するデータを把握したいと考えたときは、以下のようにして、パーソナルコンピュータ４０のディスプレイ４０ａあるいは蓋部３の外側面に設けられた第一のディスプレイ１１に、紙幣収納トランク３０内に収納されている紙幣の金種および金種別枚数に関するデータが表示される。
【０１３５】
紙幣収納トランク３０内に収納されている紙幣の金種および金種別枚数に関するデータを、パーソナルコンピュータ４０のディスプレイ４０ａに表示するときは、ユーザーによって、パーソナルコンピュータ４０が接続ターミナル３５に接続され、パーソナルコンピュータ４０がオンされる。
【０１３６】
その結果、パーソナルコンピュータ４０から、接続ターミナル３５を介して、パーソナルコンピュータ接続信号が、ＣＰＵ２０に出力される。
【０１３７】
パーソナルコンピュータ接続信号を受けると、ＣＰＵ２０は、パーソナルコンピュータ４０から、接続ターミナル３５を介して、パーソナルコンピュータ接続信号が入力されている間、第一のディスプレイスイッチ１２から入力された第一のディスプレイ起動信号およびリセットスイッチ１３から入力される信号を無効なものとみなす無効化処理を実行する。
【０１３８】
したがって、ユーザーによって、第一のディスプレイスイッチ１２がオンされ、第一のディスプレイスイッチ１２から、第一のディスプレイ起動信号が入力されても、ＣＰＵ２０は、何の処理も実行しないから、フラッシュメモリ２３に書き込まれた紙幣収納トランク３０に収納されている紙幣の金種および金種別枚数に関するデータは、第一のディスプレイ１１には表示されず、ユーザーが、フラッシュメモリ２３に書き込まれた紙幣収納トランク３０に収納されている紙幣の金種および金種別枚数に関するデータを把握するためには、パーソナルコンピュータ４０を操作することが必要である。
【０１３９】
パーソナルコンピュータ４０を操作して、紙幣収納トランク３０に収納されている紙幣の金種および金種別枚数に関するデータを把握するにあたっては、まず、パーソナルコンピュータ４０のキーボード４０ｂが操作されて、データ表示信号が、パーソナルコンピュータ４０から、接続ターミナル３５を介して、ＣＰＵ２０に出力される。
【０１４０】
接続ターミナル３５を介して、パーソナルコンピュータ４０からデータ表示信号を受けると、ＣＰＵ２０は、パーソナルコンピュータ４０に、接続ターミナル３５を介して、暗証番号を入力すべき旨の指示信号を出力して、パーソナルコンピュータ４０のディスプレイ４０ａに、暗証番号を入力すべき旨のメッセージを表示する。
【０１４１】
パーソナルコンピュータ４０のディスプレイ４０ａに表示されたメッセージに応答して、ユーザーが、パーソナルコンピュータ４０のキーボード４０ｂを用いて、暗証番号を入力すると、入力された暗証番号が、接続ターミナル３５を介して、ＣＰＵ２０に出力される。
【０１４２】
ＣＰＵ２０は、ユーザーによってパーソナルコンピュータ４０に入力された暗証番号と、フラッシュメモリ２３に記憶された暗証番号とを対比し、両者が一致しているか否かを判定する。
【０１４３】
その結果、ユーザーによって入力された暗証番号とフラッシュメモリ２３にあらかじめ記憶されている暗証番号とが一致しないときは、ＣＰＵ２０は、正しい暗証番号を入力すべき旨をユーザーに促すメッセージを、パーソナルコンピュータ４０のディスプレイ４０ａに表示する。
【０１４４】
これに対して、ユーザーによって入力された暗証番号とフラッシュメモリ２３にあらかじめ記憶されている暗証番号とが一致しているときは、ＣＰＵ２０は、紙幣収納トランク３０内に収納されている紙幣の金種および金種別枚数に関するデータを、フラッシュメモリ２３から読み出し、接続ターミナル３５を介して、パーソナルコンピュータ４０に出力する。
【０１４５】
パーソナルコンピュータ４０は、ＣＰＵ２０から、接続ターミナル３５を介して、紙幣収納トランク３０内に収納されている紙幣の金種および金種別枚数に関するデータを受けると、入力されたデータを、ディスプレイ４０ａに表示させるとともに、ハードディスク（図示せず）に保存する。
【０１４６】
こうして、ユーザーは、紙幣収納トランク３０内に収納されている紙幣の金種および金種別枚数に関するデータを把握することができる。
【０１４７】
本実施態様においても、フラッシュメモリ２３には、少なくとも２回の読み取り操作によって、ＲＦＩＤリーダー８によって読み取られたＲＦＩＤデータおよびＲＦＩＤリーダー８によって読み取られたＲＦＩＤデータに基づき、ＣＰＵ２０によって算出された収納紙幣の金種および金種別枚数に関するデータが記憶されており、ユーザーは、パーソナルコンピュータ４０のキーボード４０ｂを操作することによって、フラッシュメモリ２３に記憶された少なくとも２回の読み取り操作によって、ＲＦＩＤリーダー８によって読み取られたＲＦＩＤデータおよびＲＦＩＤリーダー８によって読み取られたＲＦＩＤデータに基づき、ＣＰＵ２０によって算出された収納紙幣の金種および金種別枚数に関するデータを、パーソナルコンピュータ４０によって読み出させ、パーソナルコンピュータ４０のハードディスク（図示せず）に記憶させるとともに、前回のＲＦＩＤデータ読み取りの際に算出され、紙幣収納トランク３０から入力された収納紙幣の金種および金種別枚数に関するデータを、パーソナルコンピュータ４０のディスプレイ４０ａに表示させることができるように構成されている。
【０１４８】
このように、ＣＰＵ２０から、接続ターミナル３５を介して、パーソナルコンピュータ４０に出力された紙幣収納トランク３０内に収納されている紙幣の金種および金種別枚数などの紙幣に関するデータは、パーソナルコンピュータ４０のハードディスク（図示せず）に保存されるから、ユーザーは、パーソナルコンピュータ４０を用いて、紙幣収納トランク３０から入力され、パーソナルコンピュータ４０のハードディスクに保存されている収納紙幣の金種および金種別枚数に関するデータに基づいて、紙幣収納トランク３０に収納されている紙幣の金種別合計金額や、総枚数、総金額など、種々の紙幣に関するデータを算出させて、パーソナルコンピュータ４０のハードディスク（図示せず）に記憶させるとともに、パーソナルコンピュータ４０のディスプレイ４０ａに表示させ、さらには、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、パーソナルコンピュータ４０に算出させて、パーソナルコンピュータ４０のディスプレイ４０ａに表示させ、あるいは、変化分をグラフ化して、ディスプレイ４０ａに表示させるなど、紙幣収納トランク３０内に収納されている紙幣の金種別枚数などの紙幣に関するデータを所望のように管理し、データに所望の加工処理を施して、パーソナルコンピュータ４０のディスプレイ４０ａに表示させることができる。
【０１４９】
これに対して、蓋部３の外側面に設けられた第一のディスプレイ１１に、紙幣収納トランク３０内に収納されている紙幣の金種および金種別枚数に関するデータを表示するときは、ユーザーは、接続ターミナル３５にパーソナルコンピュータ４０を接続することなく、第一のディスプレイスイッチ１２をオンする。
【０１５０】
ユーザーによって、第一のディスプレイスイッチ１２がオンされると、第一のディスプレイ起動信号が、ＣＰＵ２０に出力される。
【０１５１】
ＣＰＵ２０は、第一のディスプレイ起動信号を受けると、蓋部３の外側面に設けられた第一のディスプレイ１１を起動し、第一のディスプレイ１１に、暗証番号を入力すべき旨のメッセージを表示する。
【０１５２】
第一のディスプレイ１１に表示されたメッセージに応答して、ユーザーが、入力ボード６を用いて、暗証番号を入力すると、入力された暗証番号がＣＰＵ２０に出力される。
【０１５３】
ＣＰＵ２０は、ユーザーによって入力された暗証番号と、フラッシュメモリ２３に記憶された暗証番号とを対比し、両者が一致しているか否かを判定する。
【０１５４】
その結果、ユーザーによって入力された暗証番号とフラッシュメモリ２３にあらかじめ記憶されている暗証番号とが一致しないときは、ＣＰＵ２０は、正しい暗証番号を入力すべき旨をユーザーに促すメッセージを、第一のディスプレイ１１に表示する。
【０１５５】
これに対して、ユーザーによって入力された暗証番号とフラッシュメモリ２３にあらかじめ記憶されている暗証番号とが一致しているときは、ＣＰＵ２０は、紙幣収納トランク３０内に収納されている紙幣の金種別枚数などの紙幣に関するデータを、フラッシュメモリ２３から読み出し、蓋部３の外側面に設けられた第一のディスプレイ１１に表示させる。
【０１５６】
こうして、ユーザーは、紙幣収納トランク３０内に収納されている紙幣の金種別枚数などの紙幣に関するデータを把握することができる。
【０１５７】
この場合にも、前記実施態様と同様に、ユーザーは、第一のディスプレイスイッチ１２を操作することによって、ＣＰＵ２０に、フラッシュメモリ２３に記憶されている収納紙幣の金種および金種別枚数に関するデータに基づいて、紙幣収納トランク３０内に収納されている紙幣の金種別合計金額や、総枚数、総金額など、種々の紙幣に関するデータを算出させて、フラッシュメモリ２３に記憶させるとともに、第一のディスプレイ１１に表示させることができ、さらに、前回のＲＦＩＤデータ読み取りの際に算出され、フラッシュメモリ２３に記憶されている収納紙幣の金種および金種別枚数、あるいは、収納紙幣の金種別合計金額や、収納紙幣の総枚数、総金額などの紙幣に関するデータを、さらには、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０に算出させて、第一のディスプレイ１１に表示させることができる。
【０１５８】
紙幣に関するデータを、第一のディスプレイ１１に表示した後、所定の時間が経過すると、ＣＰＵ２０は、消費電力を節減するために、第一のディスプレイ１１をオフする。
【０１５９】
一旦、第一のディスプレイ１１がオフされた後においても、ユーザーは、前記実施態様と同様にして、再度、紙幣収納トランク３０内に収納された紙幣の金種および金種別枚数などの紙幣に関するデータを、第一のディスプレイ１１に表示させることができる。
【０１６０】
一方、ユーザーが紙幣収納トランク３０を開いたときは、接続ターミナル３５に、パーソナルコンピュータ４０が接続されているか否かにかかわらず、前記実施態様と同様にして、フラッシュメモリ２３に書き込まれた紙幣収納トランク３０に収納されている紙幣の金種および金種別枚数に関するデータが、蓋部３の内面に設けられた第二のディスプレイ９に表示される。
【０１６１】
すなわち、接続ターミナル３５に、パーソナルコンピュータ４０が接続されていない場合には、ユーザーが、キーホール５にキーを挿入し、蓋部３の外側面に設けられた第一のディスプレイ１１に表示されたメッセージにしたがって、入力ボード６を用いて、フラッシュメモリ２３に登録されている暗証番号を入力し、キーを操作することによって、紙幣収納トランク１を開錠して、紙幣収納トランク１の蓋部３が開かれ、前記実施態様にかかる紙幣収納トランク１と同様に、フラッシュメモリ２３に書き込まれた紙幣収納トランク３０に収納されている紙幣の金種および金種別枚数に関するデータが、蓋部３の内面に設けられた第二のディスプレイ９に表示される。
【０１６２】
ここに、ユーザーは、第二のディスプレイスイッチ１０を操作して、前記実施態様と同様に、紙幣収納トランク３０内に収納されている紙幣の金種別合計金額や、総枚数、総金額などの紙幣に関するデータを、第二のディスプレイ９に表示させることもできる。
【０１６３】
これに対して、接続ターミナル３５に、パーソナルコンピュータ４０が接続され、パーソナルコンピュータ４０がオンされたときは、パーソナルコンピュータ接続信号がＣＰＵ２０に入力されるが、キー操作検出センサ３６から、開錠操作検出信号が入力されたときは、ＣＰＵ２０は、パーソナルコンピュータ４０から、接続ターミナル３５を介して、入力されたパーソナルコンピュータ接続信号を無効なものとみなす。
【０１６４】
したがって、前記実施態様にかかる紙幣収納トランク１と同様に、ＣＰＵ２０は、第一のディスプレイ１１を起動して、蓋部３の外側面に設けられた第一のディスプレイ１１に、暗証番号を入力すべき旨のメッセージを表示し、第一のディスプレイ１１に表示されたメッセージにしたがって、ユーザーが、入力ボード６を用いて、フラッシュメモリ２３に登録されている暗証番号を入力すると、紙幣収納トランク１の開錠を許可し、ユーザーが、キーを操作して、紙幣収納トランク１を開錠し、紙幣収納トランク１の蓋部３を開くと、フラッシュメモリ２３に書き込まれた紙幣収納トランク１内に収納されている紙幣の金種および金種別枚数に関するデータを読み出すとともに、蓋部３の内面に設けられた第二のディスプレイ９を起動させて、フラッシュメモリ２３から読み出した収納紙幣の金種および金種別枚数に関するデータを、第二のディスプレイ９に表示させる。
【０１６５】
このようにして、ユーザーが紙幣収納トランク３０を開いたときは、接続ターミナル３５に、パーソナルコンピュータ４０が接続されているか否かにかかわらず、フラッシュメモリ２３に書き込まれた紙幣収納トランク３０に収納されている紙幣の金種および金種別枚数に関するデータが、蓋部３の内面に設けられた第二のディスプレイ９に表示され、ユーザーは、紙幣収納トランク３０に収納されている紙幣の金種および金種別枚数に関するデータを把握することができる。
【０１６６】
以上のように、本実施態様においては、接続ターミナル３５にパーソナルコンピュータ４０が接続されている場合には、紙幣収納トランク３０内に収納された紙幣の金種および金種別枚数などの紙幣に関するデータの蓋部３の外側面に設けられた第一のディスプレイ１１上への表示が禁止され、紙幣収納トランク３０が閉じられているときは、第一のディスプレイスイッチ１２を操作しても、紙幣収納トランク３０内に収納された紙幣の金種および金種別枚数などの紙幣に関するデータを、蓋部３の外側面に設けられた第一のディスプレイ１１に表示させることができず、紙幣収納トランク３０内に収納された紙幣の金種および金種別枚数などの紙幣に関するデータを把握するためには、パーソナルコンピュータ４０を操作することが必要で、紙幣収納トランク３０内に収納された紙幣の金種および金種別枚数などの紙幣に関するデータは、パーソナルコンピュータ４０のディスプレイ４０ａにのみ表示されるように構成されている。
【０１６７】
したがって、本実施態様によれば、紙幣収納トランク３０のセキュリティを大幅に向上させることが可能になる。
【０１６８】
さらに、本実施態様によれば、ユーザーは、紙幣収納トランク３０を施錠した直後においても、また、紙幣を収納した紙幣収納トランク１を持ち運んでいる過程においても、紙幣収納トランク３０を閉じたまま、紙幣収納トランク３０内に収納されている紙幣の金種および金種別枚数などの紙幣に関するデータを、第一のディスプレイ１１あるいはパーソナルコンピュータ４０のディスプレイ４０ａに表示させて、リアルタイムで、正確に把握することができるから、あらかじめ、紙幣処理機などによって、紙幣収納トランク３０内に収納すべき紙幣の金種別枚数などを計数した上で、紙幣を紙幣収納トランク３０内に収納する必要がなくなり、紙幣収納トランク３０の有用性を大幅に向上させることが可能になる。
【０１６９】
また、本実施態様によれば、紙幣収納トランク３０が閉じられているときは、正しい暗証番号が、入力ボード６あるいはパーソナルコンピュータ４０にキーボード４０ｂに入力されない限り、紙幣収納トランク３０内に収納されている紙幣の金種および金種別枚数などの紙幣に関するデータが、第一のディスプレイ１１あるいはパーソナルコンピュータ４０のディスプレイ４０ａに表示されないように構成されているから、権限のない第三者が、第一のディスプレイスイッチ１２および入力ボード６あるいは接続ターミナル３５を介して、紙幣収納トランク３０に接続されているパーソナルコンピュータ４０を操作しても、紙幣収納トランク３０内に収納されている紙幣の金種および金種別枚数などの紙幣に関する情報を知ることができず、したがって、紙幣収納トランク３０のセキュリティを大幅に向上させることが可能になる。
【０１７０】
さらに、本実施態様においても、前記実施態様にかかる紙幣収納トランク１と同様に、ユーザーが、キーホール５にキーを挿入し、蓋部３の外側面に設けられた第一のディスプレイ１１に表示されたメッセージにしたがって、パーソナルコンピュータ４０にキーボード４０ｂを用いて、フラッシュメモリ２３に登録されている暗証番号を入力し、キーを操作することによって、初めて、紙幣収納トランク３０を開錠し、紙幣収納トランク３０の蓋部３を開くことができ、紙幣収納トランク３０の蓋部３が開かれると、フラッシュメモリ２３に記憶されている紙幣収納トランク３０内に収納された紙幣の金種および金種別枚数などの紙幣に関するデータが自動的に読み出されて、蓋部３の内面に設けられた第二のディスプレイ９に表示されるように構成されている。
【０１７１】
したがって、本実施態様によれば、リアルタイムで、紙幣収納トランク３０内に収納されている紙幣の金種および金種別枚数などを把握することができ、紙幣収納トランク３０の有用性を大幅に向上させることが可能になる。
【０１７２】
また、本実施態様によれば、パーソナルコンピュータ４０のキーボード４０ｂに暗証番号を入力しない限り、紙幣収納トランク３０を開錠できないように構成されているから、権限のない第三者が、紙幣収納トランク３０を開錠して、紙幣収納トランク３０内に収納された紙幣にアクセスすることを確実に防止することができ、したがって、紙幣収納トランク３０のセキュリティを大幅に向上させることが可能になる。
【０１７３】
さらに、本実施態様によれば、前記実施態様にかかる紙幣収納トランク１と同様に、紙幣収納トランク３０の蓋部３が閉じられているときは、さらに、第一のディスプレイスイッチ１２あるいはパーソナルコンピュータ４０のキーボード４０ｂを操作することにより、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０あるいはパーソナルコンピュータ４０に算出させて、パーソナルコンピュータ４０のディスプレイ４０ａに表示させることができ、紙幣収納トランク３０の蓋部３が開かれているときは、さらに、第二のディスプレイスイッチ１０を操作することによって、前回のＲＦＩＤデータ読み取りの際に算出された収納紙幣の金種および金種別枚数、あるいは、収納紙幣の金種別合計金額や、収納紙幣の総枚数、総金額などの紙幣に関するデータと、今回のＲＦＩＤデータ読み取りの際に算出された収納紙幣の金種および金種別枚数、あるいは、収納紙幣の金種別合計金額や、収納紙幣の総枚数、総金額などの紙幣に関するデータとの間の変化分を、ＣＰＵ２０あるいはパーソナルコンピュータ４０に算出させて、第二のディスプレイ９に表示させることができるように構成されているから、何らかの理由で、紙幣収納トランク３０内に収納されている紙幣の一部が取り出され、および／または、紙幣収納トランク３０内に、紙幣が補充された場合でも、リアルタイムに、いかなる金種の紙幣が何枚取り出され、および／または、補充されたかを把握することができ、紙幣収納トランク３０の有用性を大幅に向上させることが可能になる。
【０１７４】
本発明は、以上の実施態様に限定されることなく、特許請求の範囲に記載された発明の範囲内で種々の変更が可能であり、それらも本発明の範囲内に包含されるものであることはいうまでもない。
【０１７５】
たとえば、図１ないし図３に示された実施態様においては、センサ７が蓋部３が閉じられたことを検出してから、所定の時間内に、キー検出部（図示せず）がキーを検出したときに、ＲＦＩＤリーダー８が起動されるように構成され、図４ないし図６に示された実施態様においては、キー操作検出センサ３６が、キーが操作されて、紙幣収納トランク３０が施錠されたことを検出したときに、ＲＦＩＤリーダー８が起動されるように構成されているが、図１ないし図３に示された紙幣収納トランク１に、キー操作検出センサ３６を設け、キー操作検出センサ３６が、キーが操作されて、紙幣収納トランク１が施錠されたことを検出したときに、ＲＦＩＤリーダー８が起動されるように構成することもできるし、図４ないし図６に示された紙幣収納トランク３０に、キー操作検出センサ３６を設けずに、センサ７が蓋部３が閉じられたことを検出してから、所定の時間内に、キー検出部（図示せず）がキーを検出したときに、ＲＦＩＤリーダー８が起動されるように構成することもできる。
【０１７６】
また、前記実施態様においては、ＲＦＩＤリーダー８は、蓋部３の内面に設けられているが、ＲＦＩＤリーダー８を、蓋部３の内面に設けることは必ずしも必要でなく、トランク本体２への紙幣の収納の妨げにならず、紙幣収納トランク１、３０内に収納された紙幣に形成されているインレット中のＩＣチップに記録された紙幣のＩＤデータ、紙幣の金種データなどのＲＦＩＤデータを読み取ることができる位置であれば、ＲＦＩＤリーダー８を設ける位置はとくに限定されない。
【０１７７】
さらに、前記実施態様においては、第一のディスプレイ１１および第一のディスプレイスイッチ１２は、ハンドル４が設けられたトランク本体２の外側面に連なる蓋部３の外側面に設けられているが、第一のディスプレイ１１および第一のディスプレイスイッチ１２を、ハンドル４が設けられたトランク本体２の外側面に連なる蓋部３の外側面に設けることは必ずしも必要でなく、トランク本体２の他の外側面や、蓋部３の外面に設けることもできる。
【０１７８】
また、図１ないし図３に示された実施態様においては、蓋部３が閉じられたときにのみ、ＲＦＩＤリーダー８が起動され、図４ないし図６に示された実施態様においては、紙幣収納トランク３０が施錠されたときにのみ、ＲＦＩＤリーダー８が起動されるように構成されているが、さらに、必要に応じて、ＲＦＩＤリーダー８が起動されるように構成することもできる。
【０１７９】
さらに、前記実施態様においては、紙幣収納トランク１、３０は、ＲＦＩＤリーダー８によって読み取られたＲＦＩＤデータおよびＣＰＵ２０によって算出された紙幣に関するデータが、フラッシュメモリ２３に書き込まれるように構成されているが、フラッシュメモリ２３に代えて、他の不揮発性のデータ保存手段を設けることもできる。
【０１８０】
また、図１ないし図３に示された実施態様においては、紙幣収納トランク１は、蓋部３の内面に設けられた第二のディスプレイ９と、蓋部３の外側面に設けられた第一のディスプレイ１１を備えているが、蓋部３の内面に設けられた第二のディスプレイ９を省略し、紙幣に関するデータを、蓋部３の外側面に設けられた第一のディスプレイ１１にのみ表示させることもできる。
【０１８１】
さらに、図４ないし図６に示された実施態様においては、紙幣収納トランク３０が閉じられているときに、接続ターミナル３５にパーソナルコンピュータ４０が接続されている場合には、紙幣収納トランク３０内に収納された紙幣の金種および金種別枚数などの紙幣に関するデータの蓋部３の外側面に設けられた第一のディスプレイ１１上への表示が禁止され、パーソナルコンピュータ４０のディスプレイ４０ａにのみ、紙幣収納トランク３０内に収納されている紙幣の金種および金種別枚数などの紙幣に関するデータが表示されるように構成されているが、紙幣収納トランク３０が閉じられているときに、接続ターミナル３５にパーソナルコンピュータ４０が接続されている場合にも、図１ないし図３に示された実施態様と同様に、紙幣収納トランク３０内に収納された紙幣の金種および金種別枚数などの紙幣に関するデータが、蓋部３の外側面に設けられた第一のディスプレイ１１に表示されるように構成し、パーソナルコンピュータ４０を、紙幣に関するデータの管理、加工および加工されたデータの表示のみに用いることもできる。
【０１８２】
また、図４ないし図６に示された実施態様においては、紙幣収納トランク３０の接続ターミナル３５に、パーソナルコンピュータ４０が機械的に接続されているが、紙幣収納トランク３０の接続ターミナル３５に、パーソナルコンピュータ４０を機械的に接続することは必ずしも必要でなく、紙幣収納トランク３０の接続ターミナル３５に、無線ルータなどの通信手段を接続し、この通信手段を介して、パーソナルコンピュータ４０を接続することもできる。
【０１８３】
さらに、図４ないし図６に示された実施態様においては、紙幣収納トランク３０の接続ターミナル３５に、パーソナルコンピュータ４０が接続され、パーソナルコンピュータ４０のディスプレイ４０ａに、紙幣収納トランク３０内に収納されている紙幣に関するデータが表示されるように構成されているが、紙幣収納トランク３０の接続ターミナル３５に、パーソナルコンピュータ４０を接続し、パーソナルコンピュータ４０のディスプレイ４０ａに、紙幣収納トランク３０内に収納されている紙幣に関するデータを表示することは必ずしも必要でなく、パーソナルコンピュータ４０に代えて、他の表示装置が、紙幣収納トランク３０の接続ターミナル３５に接続されるように構成することもできる。
【０１８４】
また、前記実施態様においては、リセットスイッチ１３は、蓋部３の外側面にのみ設けられているが、蓋部３の外側面に設けられたリセットスイッチ１３に加えて、蓋部３の内面に、リセットスイッチを設けるようにしてもよい。
【０１８５】
さらに、前記実施態様においては、紙幣収納トランク１、３０につき、説明が加えられているが、本発明は、紙幣収納トランクに限定されるものではなく、紙幣を収納した状態で、持ち運び可能に構成された紙幣収納ケースに、広く適用することができる。
【図面の簡単な説明】
【０１８６】
【図１】図１は、本発明の好ましい実施態様にかかる紙幣収納トランクの略斜視図であり、紙幣収納トランクが開かれた状態を示している。
【図２】図２は、本発明の好ましい実施態様にかかる紙幣収納トランクの略斜視図であり、紙幣収納トランクが閉じられた状態を示している。
【図３】図３は、図１および図２に示された紙幣収納トランクの制御系、検出系および入力系のブロックダイアグラムである。
【図４】図４は、本発明の他の好ましい実施態様にかかる紙幣収納トランクの略斜視図であり、紙幣収納トランクが開かれた状態を示している。
【図５】図５は、本発明の他の好ましい実施態様にかかる紙幣収納トランクの略斜視図であり、紙幣収納トランクが閉じられた状態を示している。
【図６】図６は、図４および図５に示された紙幣収納トランクの制御系、検出系および入力系のブロックダイアグラムである。
【符号の説明】
【０１８７】
１  紙幣収納トランク
２  トランク本体
３  蓋部
４  ハンドル
５  キーホール
６  入力ボード
７  センサ
８  ＲＦＩＤリーダー
９  第二のディスプレイ
１０  第二のディスプレイスイッチ
１１  第一のディスプレイ１１
１２  第一のディスプレイスイッチ１２
１３  リセットスイッチ
１４ａ  ロック部材
１４ｂ  ロック部材係合部
２０  ＣＰＵ
２１  ＲＯＭ
２２  ＲＡＭ
２３  フラッシュメモリ
３０  紙幣収納トランク
３５  接続ターミナル
３６  キー操作検出センサ
４０  パーソナルコンピュータ
４０ａ  パーソナルコンピュータのディスプレイ
４０ｂ  パーソナルコンピュータのキーボード
【図１】
2007141060.tif 000003
【図２】
2007141060.tif 000004
【図３】
2007141060.tif 000005
【図４】
2007141060.tif 000006
【図５】
2007141060.tif 000007
【図６】
2007141060.tif 000008